(57)【特許請求の範囲】
【請求項１】
体腔内に挿入可能な挿入部の先端部に複数の対物レンズを有する対物レンズ部を備える内視鏡において、
前記対物レンズ部は、
少なくとも１つの対物レンズが接着固定された第１対物レンズ枠と、
少なくとも１つの対物レンズが接着固定された第２対物レンズ枠と、
前記第１対物レンズ枠および前記第２対物レンズ枠間に嵌着され、少なくとも１つの対物レンズが内部に接着固定された筒状の絶縁枠と、
を具備することを特徴とする内視鏡。
【請求項２】
前記第１対物レンズ枠に、第１対物レンズ及び第２対物レンズを接着固定する構成において、
前記第１対物レンズと前記第２対物レンズとを光学絞りを介在させた状態で接合したことを特徴とする請求項１に記載の内視鏡。
【請求項３】
前記第１対物レンズと前記第２対物レンズとは熱膨張係数が同じで、前記第１対物レンズと前記第２対物レンズとを接合したときの厚み寸法は、第１対物レンズ及び第２対物レンズの外径寸法と略同じ寸法に設定したことを特徴とする請求項２に記載の内視鏡。
【発明の詳細な説明】
【０００１】
【発明の属する技術分野】
本発明は、挿入部の先端部に設けた対物レンズ部を構成する対物レンズが曇ることによる視野不良を防止する内視鏡に関する。
【０００２】
【従来の技術】
従来より、細長の挿入部を体腔内に挿入することにより、体腔内臓器などを観察したり、必要に応じて処置具チャンネル内に挿通した処置具を用いて各種治療処置のできる医療用の内視鏡が広く利用されている。
【０００３】
内視鏡の先端部には複数の光学レンズを配設した対物レンズ部が設けられており、内視鏡検査の際、内視鏡の挿入部を患者の体腔内に挿入すると、挿入部が体温により加温されるにつれて対物レンズ部内の温度も上昇する。このように温度が上昇した状態のとき、挿入部先端に設けられているレンズカバーの表面に向けて、付着している汚物や粘液等を除去するために、送気・送水用ノズルから送水を行った場合、先端に配置されている対物レンズが送水された水によって冷却される。このことにより、この対物レンズ部内の温度が急激に下がって、前記対物レンズ部内に配設されている対物レンズ間に存在する空気層に含まれている水分がレンズ表面に結露して視野曇りが発生することにより、内視鏡観察や写真撮影の妨げになる。
【０００４】
また、対物レンズ部を構成する複数の対物レンズは、この対物レンズとは熱膨張係数の異なる対物レンズ枠内に嵌挿されて接着剤によって接着固定されている。このため、対物レンズ及び対物レンズ枠が熱応力を受けて収縮若しくは膨張すると、２つの部材の熱膨張係数が異なることによって、対物レンズと対物レンズ枠とを固定している接着部分に剥離が生じ、この剥離した部分から湿気が侵入して視野曇りが発生していた。
【０００５】
つまり、前記対物レンズ枠内に、対物レンズの厚み寸法がこの対物レンズの外径寸法に比べて小さな厚みで薄いものが嵌挿されて接着固定されていた場合、対物レンズの側周面積が小さいことにより十分な接着状態で固定されないため、対物レンズ若しくは対物レンズ枠が熱応力によって膨張又は収縮して変形したとき、接着部分が容易に剥離し易い構造であった。
【０００６】
加えて、前記対物レンズ枠から対物レンズに働く熱応力は、まず対物レンズの側面に対してかかるので、この対物レンズの側周面の変形量は、他の部位、例えば対物レンズ光軸近傍に比べて大きくなるため剥離が生じ易くなる。更に、対物レンズ枠から対物レンズに働く熱応力は、対物レンズの厚さが薄ければ薄いほど、対物レンズの側周面が受ける単位面積当たりの熱応力が大きくなり、対物レンズの側周面の変形量が対物レンズ光軸近傍に比べて大きくなって、より剥離が生じ易い構造になる。
【０００７】
内視鏡の挿入部を腹腔内に挿入したとき、レンズ間の空間部内に存在する水分がレンズ表面に結露して曇りが発生する問題を解決するため、例えば実開昭６３−５４１１７号公報には挿入部の先端部に配設される対物レンズ部を構成する光学系の一部に透明なゲル状物質を導光路として設け、水分の含み得る空気層の領域を少なくして水分の結露による曇りの発生を防止するようにした内視鏡が開示されている。
【０００８】
【発明が解決しようとする課題】
しかしながら、前記実開昭６３−５４１１７号公報の内視鏡では、対物レンズ部組立て時に気泡を混在させることなくゲル状物質を導光路として設けることが非常に困難であるとともに、気泡の混在やゲル状物質の硬化ムラなどによって均一な屈折率を確保することが難しく、十分な光学特性を得られないとう問題があった。
【０００９】
本発明は上記事情に鑑みてなされたものであり、内視鏡の挿入部の先端部に配設される対物レンズ部を構成する対物レンズに発生する曇りを防止する内視鏡を提供することを目的にしている。
【００１０】
本発明の内視鏡は、体腔内に挿入可能な挿入部の先端部に複数の対物レンズを有する対物レンズ部を備える内視鏡において、前記対物レンズ部は、少なくとも１つの対物レンズが接着固定された第１対物レンズ枠と、少なくとも１つの対物レンズが接着固定された第２対物レンズ枠と、前記第１対物レンズ枠および前記第２対物レンズ枠間に嵌着され、少なくとも１つの対物レンズが内部に接着固定された筒状の絶縁枠とを具備している。
また、前記第１対物レンズ枠に、第１対物レンズ及び第２対物レンズを接着固定する構成において、前記第１対物レンズと前記第２対物レンズとを光学絞りを介在させた状態で接合している。
さらに、前記第１対物レンズと前記第２対物レンズとは熱膨張係数が同じで、前記第１対物レンズと前記第２対物レンズとを接合したときの厚み寸法は、第１対物レンズ及び第２対物レンズの外径寸法と略同じ寸法に設定している。
【００１１】
この構成によれば、２つの対物レンズを接合したことによって、２つの対物レンズの間に存在する空気層が極めて少なくするとともに、レンズの熱容量が大きくなって外表面の温度変化が対物レンズ枠内の空気層に伝導し難くなる。また、対物レンズの厚み寸法が対物レンズの外径寸法と略同じ若しくは大きいので対物レンズ外表面からの熱応力と側面からの熱応力を接合して形成された対物レンズ全体で均等に分散させれるとともに、レンズとレンズ枠との接着部の範囲が大きくなる。
【００１２】
【発明の実施の形態】
以下、図面を参照して本発明の実施の形態を説明する。
図１ないし図６は本発明の第１実施形態に係り、図１は内視鏡装置の概略構成を示す説明図、図２は挿入部の先端部の構成を説明する長手方向断面図、図３は信号ケーブルの構成を説明する断面図、図４は同軸線の構成を示す斜視図、図５は単純線の構成を示す斜視図、図６は対物レンズ部の構成を示す図である。
【００１３】
図１に示すように本実施形態の内視鏡装置は、先端部にＣＣＤなどの撮像素子を備えた電子内視鏡（以下内視鏡と略記する）１と、この内視鏡１に観察用の照明光を供給するための光源装置２と、前記撮像素子に結像して光電変換された電気信号を画像信号に生成する映像信号処理回路や駆動回路を内蔵したビデオプロセッサ３と、このビデオプロセッサ３で生成した画像信号が伝達されて内視鏡画像を表示するモニタ４と、このモニタ４に映し出される内視鏡画像を記録するＶＴＲデッキ５と、術者の希望する内視鏡画像をプリントアウトするビデオプリンタ６と、前記内視鏡画像を記録するビデオディスク７等の周辺機器等とで主に構成されている。
【００１４】
前記電子内視鏡１の挿入部８は、体腔内に挿入することが可能な細長で可撓性を有する可撓管９と、この可撓管９の基端側に連設された操作部１０とを有している。前記可撓管９の先端部には、複数の湾曲駒を連接させて例えば上下・左右方向に湾曲自在に構成した湾曲部１１を介して硬質の先端部１２が設けられており、前記操作部１０に配設されている図示しない上下、左右湾曲操作ノブを操作することによって湾曲部１１を所望の方向に湾曲させて、前記先端部１２に設けられている図示しない観察窓を被観察部位に対向させることができるようになっている。
【００１５】
前記操作部１０の側部からは、先端にコネクタ装置１３を備えたユニバーサルコード１４が延出しており、このコネクタ装置１３が前記光源装置２のコネクタ受け１５に着脱自在に接続されるようになっている。前記コネクタ装置１３とコネクタ受け１５とを接続することによって光源装置２の光源ランプ２ａにて発生した照明光がユニバーサルコード１４内に配設されているライトガイドファイバー(不図示)を介して電子内視鏡１の先端部１２に設けられている照明窓から出射されて被観察部位を照明するようになっている。
【００１６】
図２に示すように内視鏡１の先端部１２は、略円柱状で金属製の先端構成部材１６を備えており、この先端構成部材１６の先端部分には先端カバー１７が被嵌され接着剤により一体固定されている。
【００１７】
前記先端構成部材１６には照明用透孔１８が形成されており、この照明用透孔１８に挿入固定された照明レンズ枠１９には前記光源装置２から伝送された照明光を被観察部位へ照射するための複数の照明レンズ２０が配設されている。この照明レンズ２０の後端面にはライトガイドファイバー２１の先端面が臨まれている。
【００１８】
また、前記先端構成部材１６には鉗子用透孔２２が形成されている。この鉗子用透孔２２には鉗子用パイプ２３が挿入固定されており、挿入部８内を挿通する鉗子チャンネル２４を介して前記操作部１０に設けられている鉗子挿入口２５に連通している。この鉗子挿入口２５より挿入される鉗子等は、前記鉗子チャンネル２４、鉗子用パイプ２３を通過して先端開口２３ａより突出するようになっている。
【００１９】
また、この先端構成部材１６には略パイプ形状で例えばステンレス材などの金属部材で形成された第１対物レンズ枠２６が挿入固定される観察用透孔２９が形成されており、前記第１対物レンズ枠２６内には先端側から順に外径寸法が略同一寸法の第１対物レンズ２７及び第２対物レンズ２８が配設されるようになっている。前記第１対物レンズ枠２６に配設される第１対物レンズ２７と第２対物レンズ２８との間には円板状で中心部に所定の内径の開口を形成した光学絞り６５が介在されており、この状態で前記第１対物レンズ２７と第２対物レンズ２８とを接合状態にして第１対物レンズ群３５を形成している。そして、前記光学絞り６５を介在させて接合状態になっている第１対物レンズ２７及び第２対物レンズ２８の側周面に接着剤を塗布して、この前記第１対物レンズ枠２６の内周面に嵌挿させた状態で接着固定されている。
【００２０】
また、前記先端部１２には前記第１対物レンズ２７に対して先端開口が指向する送気・送水用ノズル(不図示)が設けられていて、前記操作部１０に設けられている送気・送水スイッチ３０を操作することによってこの送気・送水ノズルを介して第１対物レンズ２７に向かって送気・送水を行って、前記第１対物レンズ２７の表面に付着した汚物等を除去することができるようになっている。なお、前記送気・送水スイッチ３０に並設された吸引スイッチ３１を操作することによって、前記鉗子チャンネル２４を介して体腔内の粘液や送水した水等を吸引することができるようになっている。
【００２１】
前記第１対物レンズ枠２６は、図示しない固定ネジによって観察用透孔２９の所定位置に固定されており、この観察用透孔２９と前記第１対物レンズ枠２６との間には観察用透孔２９内の水密状態を保持するためのＯリング３２が介装されている。
【００２２】
また、前記第１対物レンズ枠２６の第１対物レンズ２７とは反対側、つまり基端側には絶縁枠３３を介して第２対物レンズ枠３４が接着剤により嵌着した状態で接着固定されるようになっている。この絶縁枠３３及び第２対物レンズ枠３４内には、観察用透孔２９の中心軸及び前記第１対物レンズ群３５の光軸に一致する光軸を有する複数のレンズで構成された第２対物レンズ群３６が接着剤によって接着固定されている。
【００２３】
すなわち、前記第１対物レンズ群３５が接着固定されている第１対物レンズ枠２６と前記第２対物レンズ群３６が接着固定されている絶縁枠３３及び第２対物レンズ枠３４とで対物レンズ部３９を構成している。前記絶縁枠３３と、この絶縁枠３３の外周面に外嵌する第２対物レンズ枠３４とは、長手方向の位置関係を調整してピント出しを行った後接着固定されている。なお、前記第１対物レンズ枠２６と絶縁枠３３との位置関係を調整してピント出しを行う構成であってもよい。
【００２４】
そして、前記対物レンズ部３９の第１対物レンズ枠２６とは反対側になる基端側には固体撮像装置３８が前記対物レンズ部３９の光軸に直交して接着剤にて接着固定されている。この固体撮像装置３８は、前記対物レンズ部３９側に配設されたカバーガラス３８ａと、このカバーガラス３８ａの前記対物レンズ部３９とは反対側に設けられた素子基板３８ｂの内部配線を介して複数の外部リード３８ｃに導通された素子チップ３８ｄとで構成されている。
【００２５】
前記第２対物レンズ枠３４の基端側外周には管状に形成されて外周を絶縁カバー４１にて覆われるシールド枠４２の先端部が外嵌固定されて撮像ユニット４０を構成している。このシールド枠４２の基端部は、前記第２対物レンズ枠３４の反対側に延出しており、この細長なシールド枠４２内にはセラミック製の回路基板４３が前記対物レンズ部３９の光軸と略平行に保持されている。なお、前記絶縁カバー４１の後端部は、シールド枠４２の基端よりはみ出すように形成されており、信号ケーブル４４の外皮を覆うケーブル保護部材６４を保持・固定するようになっている。
【００２６】
前記回路基板４３は、例えば一平面が実装面４９であり、この実装面４９にはコンデンサ等の電子部品５０が半田等により電気的に実装されている。この回路基板４３の先端面側には外部リード用ランド(不図示)が形成されており、この外部リード用ランドに前記固体撮像装置３８の外部リード３８ｃが電気的に接続されている。一方、前記回路基板４３の基端部側には後述する信号ケーブル４４の同軸線４５の内部導体４６や単純線４７の導体４８が接続される信号線接地用ランドが形成されている。
【００２７】
図３に示すように信号ケーブル４４は、複数の同軸線４５及び単純線４７により構成されており、図４に示すように同軸線４５は内部導体４６、内部導体４６を覆う内部絶縁被覆５１から構成される芯線５２と、この芯線５２を覆う外部導体５３、外部導体５３を覆う外部絶縁被覆５４とから構成され、図５に示すように単純線４７は導体４８と絶縁被覆５５とから構成されている。そして、図３に示すようにこれら同軸線４５と単純線４７とを絶縁テープ５６で寄り束ね、総合シールド５７、総合絶縁被覆５８で覆って信号ケーブル４４を構成している。
【００２８】
図２に示すように前記信号ケーブル４４は、回路基板４３の基端部５９で、回路基板４３の実装面４９側と反実装面側との二手に分岐して配線されるようになっている。例えば、反実装面側に分岐された単純線４７は、固体撮像装置３８の外部リード３８ｃに直接半田等で接続固定されて駆動信号が固体撮像装置３８に伝達されるようになる。また、この信号ケーブル４４内の一部の同軸線４５及び単純線４７は、回路基板４３上に設けた信号線接地用ランドに半田等で接続されて、固体撮像装置３８で光電変換された電気信号等が前記ビデオプロセッサ３に伝送されるようになる。
【００２９】
前記回路基板４３の実装面４９上には封止樹脂６０により封止されたＩＣ６１が電気的に接続配線されて、固体撮像装置３８、回路基板４３、信号ケーブル４４間で信号処理回路を形成している。つまり、固体撮像装置３８の入出力信号である固体撮像装置駆動信号、固体撮像装置出力信号及び固体撮像装置駆動電源などが全て回路基板４３上を経由して伝送される。
【００３０】
一方、前記シールド枠４２及び絶縁カバー４１の内部には例えば非導電性の充填材６３が充填されており、この充填材６３によってシールド枠４２内の固体撮像装置３８、回路基板４３、電子部品５０、信号ケーブル４４を封止固定している。なお、前記シールド枠４２の基端よりはみ出している絶縁カバー４１の後端部は、信号ケーブル４４の外皮を覆うケーブル保護部材６４を保持・固定している。前記ケーブル保護部材６４は、内視鏡挿入部内に配設される他の内蔵物から受けるダメージや、他の内蔵物に与えるダメージを軽減するためのものである。
【００３１】
ここで、図６を参照して対物レンズ部３９について説明する。
図に示すように前記第１対物レンズ２７及び第２対物レンズ２８は、少なくとも略同一外径でかつ熱膨張係数が同じであり、この第１対物レンズ２７と第２対物レンズ２８との間に光学絞り６５を介在させて双方を接合した状態で、前記第１対物レンズ群３５を構成して、これら対物レンズ２７，２８と熱膨張係数が異なる第１対物レンズ枠２６内に配設されて接着固定されている。
【００３２】
このため、この第１対物レンズ枠２６内に嵌挿された第１対物レンズ２７及び第２対物レンズ２８間に存在する空気層は、前記光学絞り６５の透孔である内径寸法とこの光学絞り６５の肉厚によって形成される極めて小さな空気層になる。なお、前記第１対物レンズ２７と第２対物レンズ２８との間に介在される光学絞り６５は、当然、薄ければ薄いほど空気層を極めて小さくできるので、この光学絞り６５を厚み寸法が０．０３ｍｍ程度の金属製の薄板光学絞りにすることで、空気層中の水分が極めて少くなる。更に、金属製の薄板光学絞りの代わりにクロム等を蒸着させて形成した肉厚１μｍ程度の蒸着光学絞りを第１対物レンズ２７と第２対物レンズ２８との間に介在させることによって空気層がほとんどなくなる。
【００３３】
また、前記第１対物レンズ２７と第２対物レンズ２８とを接合したことで、一体に接合された第１対物レンズ群３５の熱容量が大きくなって、第１対物レンズ２７外表面の温度変化が第２対物レンズ２８以降の空気層に伝導し難くなる。つまり、第１対物レンズ２７の外表面に送気・送水されて前記第１対物レンズ２７の外表面の温度が下がった場合でも、この温度変化が第２対物レンズ２８以降の空気層まで伝導されないので空気層の温度が低下して空気層中の水分がレンズ表面に結露することがなくなる。
【００３４】
一方、図に示すように本実施形態においては熱膨張係数が同じである第１対物レンズ２７と第２対物レンズ２８とを接合した状態の第１厚み寸法Ｌ２を、第１対物レンズ２７及び第２対物レンズ２８の外径寸法Ｌ１と略同じ寸法にしている。このことによって、前記第１対物レンズ２７外表面からの熱応力と、第１対物レンズ枠２６側面からの熱応力とを第１対物レンズ２７及び第２対物レンズ２８全体で均等に分散させて、熱応力による偏った変形を生じ難くしている。また、たとえ前記第１対物レンズ２７及び第２対物レンズ２８が熱応力によって変形する場合でも、熱応力が均等に分散された状態で変形するので全体的に相似形状で変形する。このため、前記第１対物レンズ枠２６に接着固定される第１対物レンズ２７及び第２対物レンズ２８側面の変形量が相対的に小さくなって接着部の剥離が生じ難くなる。
【００３５】
また、前記第１対物レンズ２７外表面からの熱応力は、第１対物レンズ枠２６を伝達して第１対物レンズ２７及び第２対物レンズ２８側面に加えられるので、第１対物レンズ２７と第２対物レンズ２８とを接合した第１厚み寸法Ｌ２を対物レンズ２７，２８の外径寸法Ｌ１と略同一寸法若しくは大きく設定することにより熱応力を受けるバランスが良くなる。加えて、接合される複数の対物レンズ２７，２８の外径寸法Ｌ１よりも第１対物レンズ枠２６に嵌挿される接合した状態の対物レンズ２７，２８の第２厚み寸法Ｌ３を、前記対物レンズ２７，２８の外径寸法Ｌ１と同寸法、若しくはそれより大きい寸法にすることで、接合された第１対物レンズ２７及び第２対物レンズ２８が第１対物レンズ枠２６に確実に接着固定されて接着部の剥離を生じ難くして、湿気の侵入による結露の発生がなくなる。
【００３６】
このように、内視鏡の先端部に配設される第１対物レンズ枠内に第１対物レンズと第２対物レンズとの間に薄板の光学絞りを介在させて、第１対物レンズと第２対物レンズとを接合した状態で接着固定したことにより、２つの対物レンズの間の空気層の存在が対物レンズ間に存在する光学絞りの透孔によって形成される極めて小さな空間にする一方、２つの対物レンズを接合したことによってレンズの熱容量を大きくして外表面の温度変化が対物レンズ枠内の空気層に伝導し難くして、空気層に存在する水分がレンズ表面に結露して発生する曇りを防止することができる。
【００３７】
また、対物レンズ外表面からの熱応力は、対物レンズ枠を伝わって前記対物レンズ側面に加えられる熱応力よりも大きいが、第１対物レンズと第２対物レンズとを接合したことにより、対物レンズの厚み寸法が対物レンズの外径寸法と略同じ若しくは大きくして熱応力を受ける対物レンズのバランスが向上するとともに、接合された対物レンズの側面全体を対物レンズ枠に接着固定して接着距離を増大させたことにより対物レンズを対物レンズ枠により強固に接着固定して接着部からの湿気の浸入による曇りの発生を防止することができる。
【００３８】
さらに、第１対物レンズと第２対物レンズとを接合したことにより、対物レンズの厚み寸法が対物レンズの外径寸法と略同じ若しくは大きいので対物レンズ外表面からの熱応力と側面からの熱応力が接合された対物レンズ全体で均等に分散されて偏った変形がなくなる一方、たとえ変形する場合でも、熱応力が均等に分散したことにより全体的に相似形状に変形してレンズとレンズ枠との接着部に剥離が発生することがなくして、湿気の侵入によって曇りが発生することを防止することができる。
【００３９】
なお、上述した対物レンズ部３９の構成は、電子内視鏡１に限定されるものではなく、光学内視鏡に用いるようにしてもよい。
【００４０】
図７は本発明の第２実施形態に係る対物レンズ部の他の構成を示す図である。
図に示すように本実施形態においては光学絞り６５を介在させて接合される第１対物レンズ２７と第２対物レンズ６６とが共に平行平板レンズである。前記対物レンズ２７及び第２対物レンズ６６を平行平板レンズにし、光学絞り６５を介在させて接合する部分のレンズ面を平面とすることで、対物レンズ間に存在する空気層が、光学絞り６５の内径寸法と肉厚によって形成された極めて小さな空気層だけになる。その他の構成は、前記第１実施形態と同様であり、同部材には同符号を付して説明を省略する。
【００４１】
なお、本実施形態においては２枚の平行平板レンズからなる対物レンズを光学絞り６５を介在させて接合して第１対物レンズ群３５を構成しているが、平行平板レンズからなる３枚以上の対物レンズと、各対物レンズ間に光学絞りを介在させて接合して第１対物レンズ群３５を構成するようにしてもよい。
【００４２】
このように、第１対物レンズ枠に配設される複数の対物レンズを平行平板レンズで構成し、各対物レンズの間に光学絞りを介在させて第１対物レンズ群を構成することによって、対物レンズ間に存在する空気層が極めて小さな空気層になるので、空気層に含まれている水分がレンズ表面に結露して発生する視野不良を防止することができる。
【００４３】
また、３枚以上の平行平板レンズを接合して第１対物レンズ群を構成することによって、２枚の対物レンズを結合して第１対物レンズ群を構成した場合より厚み寸法を厚くして接着距離を大幅に増大させて、対物レンズと対物レンズ枠との接着をより強固にすることができるとともに、熱応力によってレンズとレンズ枠との接着部に剥離が発生することをなくして湿気の侵入によって発生するレンズ表面の曇りをより確実に防止することができる。
【００４４】
図８は本発明の第３実施形態に係る第１対物レンズと第２対物レンズとの接合面の構成を示す図である。
図に示すように本実施形態においては光学絞り６５を介在させて接合される第１対物レンズ２７の接合面を平面に形成する一方、第２対物レンズ６７の第１対物レンズ２７との接合面側に凸部６７ａを形成している。この凸部６７ａは、前記光学絞り６５の開口に係入するものであり、外径寸法が光学絞り６５の開口の内径寸法と略同寸法であり、前記凸部６７ａの突出高さは前記光学絞り６５の肉厚に略一致している。つまり、前記第１対物レンズ２７と第２対物レンズ６７との間に光学絞り６５を介在させて接合したとき、光学絞り６５の開口内に前記第２対物レンズ２８の凸部６７ａが係入して空気層をない状態にしている。その他の構成は前述の実施形態と同様であり、同部材に同符号を付して説明を省略する。
【００４５】
なお、本実施形態においては第２対物レンズに凸部を形成しているが、この凸部を形成する部分は第２対物レンズに限定されるものではなく第１対物レンズの接合面側に設けるようにしてもよい。また、平行平板レンズである前記対物レンズ６６に凸部を形成する構成であってもよい。
【００４６】
このように、光学絞りを介在させて複数の対物レンズを接合したとき形成される空気層となる光学絞りの開口を、対物レンズに設けた凸部を係入してなくすことによって、対物レンズどおしを接合したときの空気層がなくなって、空気層に存在する水分による視野曇りを確実に防止することができる。
【００４７】
ところで、従来より内視鏡は部品点数が多く、また先端部の小型化が図られているため、組立てが複雑になって高価な部品の１つになっていた。このため、部品点数を削減して原価低減を図るとともに、先端部の小型化を図った内視鏡が望まれていた。
【００４８】
図９は固体撮像装置と内視鏡先端部外表面との絶縁をとった内視鏡の構成例を示す説明図である。
【００４９】
図に示すように本実施形態の内視鏡には、第１対物レンズ７２を配設した第１対物レンズ枠６９と、略凸字形状の第２対物レンズ６８を含む複数の対物レンズを配設した第２対物レンズ枠７０と、カバーガラス３８ａ，素子基板３８ｂ，素子チップ３８ｄを配設した撮像装置枠７１とが組み合わせて配設されている。なお、この固体撮像装置枠７１に配設されている固体撮像装置３８は、前記対物レンズ６８，７２の光軸に直交している。
【００５０】
上述の構成において、前記第１対物レンズ枠６９の基端部は、非導電性のプラスチック若しくはガラス製の第２対物レンズ６８の先端側に前記第１対物レンズ７２の外径寸法と略同一外径寸法に形成されている凸状部６８ａに外嵌して接着固定されている。
【００５１】
一方、前記第２対物レンズ枠７０の先端部は、前記第２対物レンズ６８の大径部６８ｂに外嵌して接着固定され、この第２対物レンズ枠７０の後端部には前記撮像装置枠７１の先端部が外嵌した状態で接着固定されている。
【００５２】
このとき、前記対物レンズ６８の凸状部６８ａに外嵌して接着固定されている第１対物レンズ枠６９と、対物レンズ６８の大径部６８ｂに外嵌して接着固定されている第２対物レンズ枠７０との間には、前記第１対物レンズ枠６９と前記第２対物レンズ枠７０とが接触することを防止する所定の間隔となる間隙が設けられるようになっている。すなわち、前記対物レンズ６８の凸状部６８ａ及び大径部６８ｂの外径寸法の間には、前記第１対物レンズ枠６９と第２対物レンズ枠７０とが接触することを防止する段部が形成されている。
【００５３】
したがって、非導電性部材で形成した第２対物レンズ６８に所定の段部を形成して凸状部６８ａ及び大径部６８ｂを設け、この凸状部６８ａ及び大径部６８ｂにそれぞれ第１対物レンズ枠６９及び第２対物レンズ枠７０を外嵌させて接着固定することにより、例えば図７に示すように第２対物レンズ枠３４と第１対物レンズ枠２６との間に絶縁枠３３を配置すること無く電気的接触がなくなる。
【００５４】
このように、非導電性部材で形成した第２対物レンズに凸状部及び大径部を設けて段部を形成することにより、これら凸状部及び大径部に外嵌させて接着固定した第１対物レンズ枠と第２対物レンズ枠との電気的接触をなくして、従来の内視鏡の構成部品に含まれていた絶縁枠を不要にして固体撮像装置と内視鏡先端部外表面との絶縁をとって、固体撮像装置の静電破壊を防止することができる。このことによって、部品点数を削減して原価低減を図れるとともに、絶縁枠をなくして先端部の小型化を図れる。
【００５５】
図１０は固体撮像装置と内視鏡先端部外表面との絶縁をとる内視鏡の他の構成例を示す説明図である。
図に示すように本実施形態の内視鏡には、第１対物レンズ７２及び第２対物レンズ７３を配設した第１対物レンズ枠６９と、外径寸法が前記第１対物レンズ７２及び第２対物レンズ７３より大径な対物レンズ７４を含む複数の対物レンズを配設した第２対物レンズ枠７０と、カバーガラス３８ａ，素子基板３８ｂ，素子チップ３８ｄを配設した撮像装置枠７１とが組み合わせて配設されている。
【００５６】
前記第１対物レンズ枠６９と第２対物レンズ枠７０とは、第１対物レンズ枠６９と第２対物レンズ枠７０との間に充填した非導電性の接着剤７５によって接着固定されており、この接着剤７５によって第１対物レンズ枠６９と第２対物レンズ７３以降の水密を確保している。また、前記撮像装置枠７１は前記第２対物レンズ枠７０に外嵌した状態で接着固定されている。
【００５７】
このとき、第２対物レンズ枠７０に配設した対物レンズ７４の外径寸法を、第１対物レンズ枠６９の外径寸法より太径に形成して、前記第２対物レンズ枠７０が第１対物レンズ枠６９に接触することがないようにしている。
【００５８】
このように、第２対物レンズ枠の内径寸法を第１対物レンズ枠の外径寸法より太径に形成して第２対物レンズ枠と第１対物レンズ枠とが接触することを防止して、第１対物レンズ枠と第２対物レンズ枠との間に非導電性の接着剤を充填したことにより、第１対物レンズ枠と第２対物レンズ枠との電気的接触がなくなって図９に示した内視鏡と同様の作用及び効果を得ることができる。
【００５９】
ところで、検査や処置に使用される内視鏡は、目的部位に挿通されるまでの間又は目的観察部位を観察する際、捻じったり湾曲させたりする。そして、これら操作が繰り返し行われることによって、撮像ユニットから延出している信号線が断線して所望の内視鏡画像を観察することができなくなるおそれがあった。このため、信号線の断線を防止する信頼性が高い撮像ユニットを備えた内視鏡が望まれていた。
【００６０】
図１１は信号線の断線を防止する高信頼性の撮像ユニットを備えた内視鏡の構成例を示す説明図である。
図に示すように本実施形態の内視鏡では、固体撮像装置３８の外部リード３８ｃ及び回路基板４３上の接続ランドに接続される信号ケーブル４４の少なくとも同軸線４５または単純線４７が、回路基板４３上に配置された少なくとも電子部品５０より先端側の位置で、例えば絹やナイロン製の糸７７によってこの回路基板４３に糸巻き固定されている。また、この糸巻き固定部より基端側には信号ケーブル４４の総合シールド５７及び／又は外部導体５３を束ねた状態にして半田等で固化形成したＧＮＤ部７６を設けている。
【００６１】
このように、ＧＮＤ部より先端側に延出して電子部品よりさらに先端側に配置された少なくとも同軸線又は単純線を、糸によって回路基板に糸巻き固定したことにより、内視鏡挿入部に設けられている湾曲部が湾曲操作された際などに前記信号ケーブルが挿入部内で煽られたり、引っ張られた場合でも、同軸線又は単純線が電子部品やＧＮＤ部に引っかかって後端側方向に抜けることが防止されて、撮像ユニット内での信号線の断線を防止することができる。このことにより、信頼性の高い撮像ユニットの提供が可能になる。
【００６２】
図１２は信号線の断線を防止して信頼性の高い撮像ユニットを備えた内視鏡の他の構成例を示す説明図であり、図１３は図１２のＡ−Ａ断面図である。
図１２及び図１３に示すように本実施形態の内視鏡では、固体撮像装置３８の外部リード３８ｃに接続するために先端側に延出される少なくとも１本以上の信号ケーブル４４の同軸線４５又は単純線４７を、シールド枠７９に設けたケーブルカシメ形成部７８内で外部導体５３とともに寄り束ねた状態で導電性の接着剤８２を充填している。そして、このケーブルカシメ形成部７８をカシメることによって前記同軸線４５及び単純線４７を一体的に固定するとともに外部導体５３とケーブルかしめ形成部７８とを電気的に導通させてシールドを確保している。なお、前記シールド枠７９は、１枚のステンレス等の薄板を長方形状に内側に折り曲げ成形したものであり、薄板が重なっている部分をさらに折り曲げてケーブルカシメ形成部７８を設けたものである。
【００６３】
このように、シールド枠にケーブルカシメ形成部を設け、このケーブルかしめ形成部に同軸線や単純線を固定することにより、図１１に示した内視鏡と同様の作用及び効果を得ることができる。また、信号ケーブルの同軸線の外部導体をシールド枠のケーブルカシメ形成部に電気的に導通させて確実なシールドをとることができるとともに、同軸線や単純線を接着剤でより強固に固定することができる。このことによって、放射ノイズを抑えた撮像ユニットが提供される。
【００６４】
なお、前記ケーブルかしめ形成部は図１２及び図１３に示した構成に限定されるものではなく、図１４及び図１５に示す構成であってもよい。
【００６５】
つまり、図１４の断線を防止した高信頼性の撮像ユニットを備えた内視鏡の他の構成例を示す説明図及び図１５の図１４のＢ−Ｂ断面図に示すように、シールド枠８０の基端部を回路基板４３などの他の部位より後方に延出し、この延出した部分で両側から同軸線４５又は単純線４７を挟むように圧着するケーブルカシメ部８１を設けるようにしても上述と同様の作用及び効果を得ることができる。
【００６６】
また、図１６に示すように信号ケーブル４４の同軸線４５の外部導体５３を寄り束ねて撮像ＧＮＤ部８４を設ける一方、シールド枠８３の基端部側を内側に折り曲げて導電用突出部８５を設け、この導電用突出部８５と前記撮像ＧＮＤ部８４とを直接接触させている。
【００６７】
このように、信号ケーブルの同軸線の外部導体をより束ねて形成した撮像ＧＮＤ部とシールド枠とを直接接続することによって、確実なシールドを行うことができる。このことによって、放射ノイズを抑えた撮像ユニットが提供される。
【００６８】
また、導電用突出部は、シールド枠を折り曲げるだけの簡単な作業で形成されるので、組立て作業を簡略化することができる。
【００６９】
ところで、従来より内視鏡の撮像ユニットを組み立てる際、組立てが複雑で、封止樹脂が撮像ユニット内に十分に行き渡らないことがあった。このため、撮像ユニット内に十分に封止樹脂を充填することが可能で、先端部の小型化が図れる内視鏡が望まれていた。
【００７０】
図１７は封止樹脂の充填を確実に行えて、小型化を図れる撮像ユニットを示す説明図である。
【００７１】
図に示すように本実施形態の内視鏡の撮像ユニット４０を構成する固体撮像装置３８を配設した固体撮像装置枠８６の後端部には、回路基板４３の略中央部付近まで延出した第１シールド枠８７が外嵌しており、接着剤にて接着固定されている。そして、この接着固定状態で固体撮像装置３８の外部リード３８ｃと回路基板４３との接続部を完全に覆うように第１シールド枠８７内及びそれより後方の電装部上に至るまで非導電性の第１接着剤８８が封止樹脂として充填されている。
【００７２】
そしてさらに、前記第１シールド枠８７の後方内側に第２シールド枠８９が内嵌されて接着剤にて接着固定されており、この第２シールド枠８９内には前記第１接着剤８８をさらに覆うように非導電性の第２接着剤９０が封止樹脂として同軸線４５や単純線４７を覆うように充填されている。なお、前記第１シールド枠８７及び第２シールド枠８９は、絶縁カバー４１によって被覆されている。
【００７３】
このように、固体撮像装置を覆うように配設されるシールド枠を複数の枠部材で構成し、基端側に配設されるシールド枠を先端側のシールド枠に対して内嵌させて接着固定することによって、撮像ユニットの外形形状を先端側から後端側にいくにしたがって徐々に小径に形成して、基端側に向かって小型になる撮像ユニットを構成することができる。
【００７４】
また、複数のシールド枠を組み立てていく際、１つのシールド枠を組みたてるたびに組み立てられたシールド枠内に接着剤を封止樹脂として充填することによって、接着剤のシールド枠内への充填を確実に行うことができる。このことによって、撮像ユニットの強度を確実に保持して信頼性の高い撮像ユニットが構成される。なお、本実施形態においては、シールド枠を第１シールド枠及び第２シールド枠の２つの枠部材で構成しているが、シールド枠を３つ以上の枠部材で構成するようにしてもよい。
【００７５】
図１８は小型化を図った撮像ユニットの他の構成例を示す説明図である。
図に示すように本実施形態の内視鏡の撮像ユニット４０では、固体撮像装置３８の外部リード３８ｃと、この外部リード３８ｃに接続される信号ケーブル４４の同軸線４５の芯線５２の内部導体４６及び単純線４７の導体４８と、回路基板４３上の電子部品５０と、電気接続部とを覆うように非導電性の第１接着剤８８を充填した上に例えば熱収縮チューブなどの弾性チューブからなる第１絶縁カバー９１を被覆している。そして、前記固体撮像装置３８の後部側と、前記第１絶縁カバー９１上に非導電性の第２接着剤９０を塗布した後、その外側に柔軟で様々な形状に変化可能な金属メッシュ９２及び第２絶縁カバー９３を順に被覆している。なお、前記第２絶縁カバー９３は締め付け力を有する熱収縮チューブ等の弾性チューブ体である。
【００７６】
このように、撮像ユニットを構成する外部リード、この外部リードに接続される信号ケーブルの同軸線の芯線の内部導体及び単純線の導体と、回路基板上の電子部品と、電気接続部とを第１接着剤、第１絶縁カバー、第２接着剤、金属メッシュ及び収縮性能を有する第２絶縁カバーで被覆することによって、固体撮像装置より後方側の撮像ユニットを、回路基板や回路基板上に搭載されている電子部品あるいは信号ケーブル等に沿わせた最小の外形形状に形成することができる。このことによって、撮像ユニットを小型化に形成して内視鏡先端部の細径化が可能になる。
【００７７】
図１９ないし図２１は組立て作業性が良く確実にシールドを行える撮像ユニットの構成例に係り、図１９は撮像ユニットの概略構成を説明する図、図２０は回路基板と信号ケーブルとの接続状態を示す図、図２１はシールド枠と回路基板との構成例を示す説明図である。
【００７８】
図１９及び図２０に示すように回路基板４３上面及び側面上には、信号ケーブル４４の同軸線４５の外部導体５３及び、又は総合シールド５７を束ねたシールドＧＮＤ９４と、このシールドＧＮＤ９４とシールド枠９５とを導通させるためのＧＮＤ接続部９６が形成されている。
【００７９】
図２１（ａ），（ｂ）に示すように前記シールド枠９５基端側には前記回路基板４３側面のＧＮＤ接続部９６に接触する内側に突設した突起部９７が設けられている。この突起部９７は、例えばこのシールド枠９５側面の一部にコの字状の切り込みを入れ、その切り込みを内側に折り曲げること等により形成したものである。同図（ａ），（ｂ）に示すように、回路基板４３をシールド枠９５に挿入することで、回路基板４３側面に設けたＧＮＤ接続部９６を介して、シールド枠９５とシールドＧＮＤ９４とが導通状態になって確実にシールドをとることができるとともに、回路基板４３にシールド枠９５を挿入するという簡単な作業で組立てを行うことができる。加えて、最小限の部品点数で確実なシールドを構成することができるので、撮像ユニットを安価に提供することができる。
【００８０】
図２２及び図２３は高信頼性の撮像ユニットを備えた内視鏡の別の構成例を示すものであり、図２２は撮像ユニットの概略構成を示す説明図、図２３はシールド枠の構成を示す図である。
【００８１】
図２２に示すように本実施形態の撮像ユニットでは回路基板９８の略中央部に貫通孔９９が設けられており、この貫通孔９９に前記回路基板９８とシールド枠１００とを電気的に導通接続するポストピン１０１が回路基板９８に対して略垂直に挿通している。前記ポストピン１０１は、シールド枠１００に形成されている図２３に示すスリット１０２に当接した状態でシールド枠１００に半田によって一体的に固定されている。
【００８２】
このように、回路基板に形成されている貫通孔にポストピンを挿通し、このポストピンをシールド枠に形成したスリットに当接させることにより、回路基板をシールド枠に対して所定位置に配置することができる。このことにより、双方の位置出しが容易になって組立て性が向上する。また、ポストピンをシールド枠に当接させた状態で半田で一体的に固定したことにより、確実なシールドをとることができる。
【００８３】
なお、図２４に示すように、ポストピン１０１をシールド枠１０３に形成した固定穴１０４に挿通させて位置出しする構成であってもよい。また、信号ケーブル４４の少なくとも同軸線４５の外部導体５３又は総合シールド５７をポストピン１０１に巻き付けて固定することにより、より確実なシールドをとることができる。さらに、ポストピン１０１の形状としては図２５に示すようにＴ字形状のポストピン１０５等であってもよい。
【００８４】
図２６は高信頼性の撮像ユニットを備えた内視鏡のまた他の構成例を示す図である。
【００８５】
図に示すように本実施形態においては、第１対物レンズ１１０は、基端側に向かって凸状に形成された非導電性の透明樹脂製の凸レンズである。そして、この第１対物レンズ１１０を第１対物レンズ枠１１１に嵌挿し、位置調整してピント出しを行った後接着剤にて第１対物レンズ枠１１１に接着固定している。
【００８６】
このように、第１対物レンズと第１対物レンズ枠とが嵌挿する部分において位置調整を行うことによって、ピント出しを行うことができるとともに、この第１対物レンズを非導電性の透明樹脂で形成したことによって、先端部外表面と固体撮像装置３８との絶縁をとることができる。このことにより、絶縁枠をなくして原価低減を図って安価な撮像ユニットの提供が可能になる。
【００８７】
また、図２７に示すように、固体撮像装置３８の先端側に位置する絶縁部材であるカバーガラス３８ａの先端部に、接着剤によって固体撮像装置枠１０６の基端部内側を外嵌させて接着固定するとき、絶縁をとるために、この固体撮像装置枠１０６とシールド枠１０３との間に一定の距離Ｌ(例えば０．３ｍｍ以上)の間隔を設けている。なお、前記シールド枠１０３は前記カバーガラス３８ａに外嵌した状態で接着剤によって接着固定されている。
【００８８】
上述のように構成したことよって、先端部で静電気が発生した場合、固体撮像装置枠１０６、シールド枠１０３との間に絶縁部材であるカバーガラス３８ａが介在するとともに、双方の間隔が一定の距離Ｌだけ離れて配設されているので、固体撮像装置が静電破壊されることを防止することができる。このことによって、絶縁を確保するための対物レンズ枠部材が不要になって、対物レンズ枠の構造を簡素化して原価低減を図って安価な撮像ユニットの提供が可能になる。
【００８９】
図２８は封止樹脂の充填を確実に行えて、小型化を図れる撮像ユニットの別の構成例を示す説明図である。
【００９０】
図に示すように本実施形態においては、固体撮像装置枠１０６の基端部内側には固体撮像装置３８が嵌合固定されており、この固体撮像装置枠１０６に外嵌した状態でシールド枠１０７が接着剤で接着固定されている。このシールド枠１０７の固体撮像装置３８が位置する部位の近傍には、後述する充填材１０９を外部から注入するための注入孔１０８が設けてある。このシールド枠１０７には絶縁カバー４１が被覆されるようになっており、この絶縁カバー４１の前記注入孔１０８に対応する部分には注射器等を用いて充填材１０９を充填するための透孔が形成されている。このため、透孔及び注入孔１０８からシールド枠内の固体撮像装置３８周囲に隙間なく充填材１０９を充填することが可能になっている。なお、この絶縁カバー４１に形成した透孔は充填材によって塞がれる。
【００９１】
このように、絶縁カバーに形成した透孔と注入孔とを介して充填材を注入していくことによって、固体撮像装置周囲に充填材を十分に充填させることができる。このことによって、固体撮像装置枠、固体撮像装置、シールド枠を強固に固定して、撮像ユニットに捻じりや煽りが加えられた場合に発生する断線等による画像不具合を無くして信頼性の高い撮像ユニットの提供が可能になる。また、固体撮像装置を固定する撮像装置枠の構造を単純にして固体撮像装置枠の加工を容易にして安価な撮像ユニットの提供が可能になる。
【００９２】
なお、本発明は、以上述べた実施形態のみに限定されるものではなく、発明の要旨を逸脱しない範囲で種々変形実施可能である。
【００９３】
［付記］
以上詳述したような本発明の上記実施形態によれば、以下の如き構成を得ることができる。
【００９４】
（１）複数の対物レンズと、複数の光学絞りと、少なくとも前記対物レンズ又は光学絞りを嵌挿する対物レンズ枠とにより構成される対物レンズ部を挿入部の先端部に設けた内視鏡において、
前記対物レンズの少なくとも先端側から１枚目の対物レンズと２枚目の対物レンズとの間に光学絞りを介在させて接合し、
この接合して形成される対物レンズ群の厚み寸法を前記接合された対物レンズの外径寸法に対して略同寸法若しくは大きくした内視鏡。
【００９５】
（２）複数の対物レンズと、複数の光学絞りと、少なくとも前記対物レンズ又は光学絞りを嵌挿する対物レンズ枠とにより構成される対物レンズ部を挿入部の先端部に設けた内視鏡において、
前記対物レンズの少なくとも先端側から１枚目の対物レンズと２枚目の対物レンズとの間に光学絞りを介在させて対物レンズ同士を接合したとき、
この接合された対物レンズの側面と前記対物レンズ枠とが接着固定される接着距離が、前記接合された対物レンズの外径寸法に対して略同寸法若しくは大きい内視鏡。
【００９６】
（３）前記対物レンズの接合面が少なくとも平面である付記１又は付記２記載の内視鏡。
【００９７】
（４）前記先端側から１枚目の対物レンズが平行平板レンズで、先端側から２枚目の対物レンズが先端側が平面で基端側が凸状をなし、平面間に光学絞りを介在させて対物レンズ同士を接合した付記１ないし付記３の少なくとも１つに記載の内視鏡。
【００９８】
（５）少なくとも先端側から１枚目及び２枚目の平行平板レンズの間に絞りを介在させて対物レンズ同士を接合した付記１ないし付記３の少なくとも１つに記載の内視鏡。
【００９９】
（６）対物レンズ枠内に、同一外径の対物レンズと光学絞りとを接合した対物レンズ群が、前記対物レンズ枠内に接着固定される付記１ないし付記３の少なくとも１つに記載の内視鏡。
【０１００】
（７）少なくとも先端側から１枚目と２枚目の光学絞りが介在する対物レンズ面のうち、光学絞りを除く部分の対物レンズ面どうしが接合されている付記１ないし付記３の少なくとも１つに記載の内視鏡。。
【０１０１】
（８）前記光学絞りは、蒸着により形成された付記１記載の内視鏡。
【０１０２】
（９）前記光学絞りは、薄板材より形成された付記１記載の内視鏡。
【０１０３】
【発明の効果】
以上説明したように本発明によれば、内視鏡の挿入部の先端部に配設される対物レンズ部を構成する対物レンズに発生する曇りを防止する内視鏡を提供することができる。
【図面の簡単な説明】
【図１】図１ないし図６は本発明の第１実施形態に係り、図１は
内視鏡装置の概略構成を示す説明図
【図２】挿入部の先端部の構成を説明する長手方向断面図
【図３】信号ケーブルの構成を説明する断面図
【図４】同軸線の構成を示す斜視図
【図５】単純線の構成を示す斜視図
【図６】対物レンズ部の構成を示す図
【図７】本発明の第２実施形態に係る対物レンズ部の他の構成を示す図
【図８】本発明の第３実施形態に係る第１対物レンズと第２対物レンズとの接合面の構成を示す図
【図９】固体撮像装置と内視鏡先端部外表面との絶縁をとった内視鏡の構成例を示す説明図
【図１０】固体撮像装置と内視鏡先端部外表面との絶縁をとる内視鏡の他の構成例を示す説明図
【図１１】信号線の断線を防止する高信頼性の撮像ユニットを備えた内視鏡の構成例を示す説明図
【図１２】信号線の断線を防止して信頼性の高い撮像ユニットを備えた内視鏡の他の構成例を示す説明図
【図１３】図１２のＡ−Ａ断面図
【図１４】信号線の断線を防止した高信頼性の撮像ユニットを備えた内視鏡の他の構成例を示す説明図
【図１５】図１４のＢ−Ｂ断面図
【図１６】信号線の断線を防止した高信頼性の撮像ユニットを備えた内視鏡の別の構成例を示す説明図
【図１７】封止樹脂の充填を確実に行えて、小型化を図れる撮像ユニットを示す説明図
【図１８】小型化を図った撮像ユニットの他の構成例を示す説明図
【図１９】図１９ないし図２１は組立て作業性が良く確実にシールドを行える撮像ユニットの構成例に係り、図１９は撮像ユニットの概略構成を説明する図
【図２０】回路基板と信号ケーブルとの接続状態を示す図
【図２１】シールド枠と回路基板との構成例を示す説明図
【図２２】図２２及び図２３は高信頼性の撮像ユニットを備えた内視鏡の別の構成例を示すものであり、図２２は撮像ユニットの概略構成を示す説明図
【図２３】シールド枠の構成を示す図
【図２４】撮像ユニットのまた別の構成を示す説明図
【図２５】ポストピンの他の構成を示す図
【図２６】高信頼性の撮像ユニットを備えた内視鏡のまた別の構成例を示す図
【図２７】高信頼性の撮像ユニットを備えた内視鏡のさらに又別の構成例を示す図
【図２８】封止樹脂の充填を確実に行えて、小型化を図れる撮像ユニットの別の構成例を示す説明図
【符号の説明】
２７…第１対物レンズ
２８…第２対物レンズ
６５…光学絞り
【図１】
0004159131.tif 000002
【図２】
0004159131.tif 000003
【図３】
0004159131.tif 000004
【図４】
0004159131.tif 000005
【図５】
0004159131.tif 000006
【図６】
0004159131.tif 000007
【図７】
0004159131.tif 000008
【図８】
0004159131.tif 000009
【図９】
0004159131.tif 000010
【図１０】
0004159131.tif 000011
【図１１】
0004159131.tif 000012
【図１２】
0004159131.tif 000013
【図１３】
0004159131.tif 000014
【図１４】
0004159131.tif 000015
【図１５】
0004159131.tif 000016
【図１６】
0004159131.tif 000017
【図１７】
0004159131.tif 000018
【図１８】
0004159131.tif 000019
【図１９】
0004159131.tif 000020
【図２０】
0004159131.tif 000021
【図２１】
0004159131.tif 000022
【図２２】
0004159131.tif 000023
【図２３】
0004159131.tif 000024
【図２４】
0004159131.tif 000025
【図２５】
0004159131.tif 000026
【図２６】
0004159131.tif 000027
【図２７】
0004159131.tif 000028
【図２８】
0004159131.tif 000029